(57)【要約】【課題】  転倒防止を図りつつ、省スペース化と使い勝手の向上を図ることができる床面設置機器を提供する。【解決手段】  傾斜によって外部に移動する支持部材４を底部に設けた床面設置機器。【選択図】  図１
2007215709.tif 000002
【特許請求の範囲】
【請求項１】
機器本体と、該機器本体側に収容された位置から外方へ突出した位置との間を進退自在に支持された支持部材と、前記機器本体が傾斜した際に作動して支持部材が外方へ突出させる作動機構と、を備えたことを特徴とする床面設置機器。
【請求項２】
請求項１記載の床面設置機器において、前記支持部材の外方への突出過程で支持部材の元位置への復帰を阻止する中間ロック機構を備えていることを特徴とする床面設置機器。
【請求項３】
請求項１又は２に記載の床面設置機器において、前記支持部材の外方への突出方向が水平方向であることを特徴とする床面設置機器。
【請求項４】
請求項１又は２に記載の床面設置機器において、前記支持部材は内外方向へ水平に回動することを特徴とする床面設置機器。
【請求項５】
請求項１又は２に記載の床面設置機器において、前記支持部材は上下方向に回動することにより外部に向けて開放することを特徴とする床面設置機器。
【請求項６】
請求項１乃至５の何れか一項に記載の床面設置機器において、傾きを検知する傾き検知機構を備えたことを特徴とする床面設置機器。
【発明の詳細な説明】
【技術分野】
【０００１】
本発明は、床面設置機器、例えば、複写機やファクシミリ装置、あるいは複写機やファクシミリ装置本体とこれを載置する専用テーブルからなる機器に関し、特に転倒防止技術に特徴のある床面設置機器に関する。
【背景技術】
【０００２】
比較的重量があって床面に設置される床面設置機器においては、移送時や地震発生時に転倒しないように機器周囲に張り出したアームを設けるものがあった（例えば、特許文献１〜３参照）。
【特許文献１】特開平４−１７３４０２号公報
【特許文献２】特開平６−１９６８７１号公報
【特許文献３】特開２００２−２９６８６３公報
【発明の開示】
【発明が解決しようとする課題】
【０００３】
機器周囲にアームを張り出した構造の床面設置機器においては、不慮の転倒を防止することはできるものの、アーム分のスペースが必要となるほか、使用者がアームに躓くおそれがあった。
本発明は、転倒防止を図りつつ、省スペース化と使い勝手の向上を図ることができる床面設置機器を提供することを目的とする。
【課題を解決するための手段】
【０００４】
上記目的を達成するために、請求項１記載の発明は、機器本体と、該機器本体側に収容された位置から外方へ突出した位置との間を進退自在に支持された支持部材と、前記機器本体が傾斜した際に作動して支持部材が外方へ突出させる作動機構と、を備えたことを特徴とする。
請求項２の発明は、請求項１記載の床面設置機器において、前記支持部材の外方への突出過程で支持部材の元位置への復帰を阻止する中間ロック機構を備えていることを特徴とする。
請求項３の発明は、請求項１又は２に記載の床面設置機器において、前記支持部材の外方への突出方向が水平方向であることを特徴とする。
【０００５】
請求項４の発明は、請求項１又は２に記載の床面設置機器において、前記支持部材は内外方向へ水平に回動することを特徴とする。
請求項５の発明は、請求項１又は２に記載の床面設置機器において、前記支持部材は上下方向に回動することにより外部に向けて開放することを特徴とする。
請求項６の発明は、請求項１乃至５の何れか一項に記載の床面設置機器において、傾きを検知する傾き検知機構を備えたことを特徴とする。
【発明の効果】
【０００６】
本発明の床面設置機器は、傾斜によって外部に移動する支持部材を底部に設けたので、転倒防止を図りつつ、省スペース化と使い勝手の向上を図ることができる。
【発明を実施するための最良の形態】
【０００７】
以下、図面を参照して本発明の実施形態を詳細に説明する。
図１は本発明の第１の実施形態に係る床面設置機器（画像形成装置）の斜視図である。床面設置機器Ａは、床面に置かれるキャスター付きの専用テーブル（機器本体）１と、その上に載置される増設給紙装置２と、さらにその上に載置される本体（複写機）３とから構成される。専用テーブル１の一側面にはスライド穴（スライド凹所、或いはスライドガイド）１ａが設けられており、一対の支持部材４が、スライド穴１ａ内から機器側方へ向けて水平に出没自在に設けてある。
【０００８】
図２は図１に示す床面設置機器の専用テーブルの断面図である。支持部材４はばね５によって外部へ押し出す方向へ付勢されており、ストッパー６によって専用テーブル１の底部内側に保持されている。専用テーブル１の内壁面にはホルダー７が固定されており、その上に錘８が載置されている。錘８はワイヤー９を介してストッパー６に接続されている。ワイヤー９は係止部１０に係止されている。ばね５、ストッパー６、ホルダー７、錘８、及びワイヤー９は、作動機構を構成している。
このように本発明は、機器本体としての専用テーブル１と、該機器本体側に収容された位置から外方へ突出した位置との間を進退自在に支持された支持部材４と、機器本体が傾斜した際に作動して支持部材４が外方へ突出させる作動機構と、を備えた構成が特徴的である。
【０００９】
ここで、床面設置機器Ａが傾くと、言い換えると専用テーブル１が矢印Ａで示す方向へ傾くと、錘８はホルダー７から落下する。すると錘の重量により係止部１０を挟んで錘８と反対側にあるワイヤー９は上方に引き上げられ、これによってストッパー６も上方に引き上げられ、支持部材４の抑えは解消される。この状態でばね５の付勢力により、支持部材４はスライド穴１ａから外部に突出し（太矢印方向）、床面設置機器Ａの転倒を未然に防止する。
【００１０】
図３は支持部材の中間ロック機構を示す図である。支持部材４にはラチェット歯４−１が形成され、専用テーブル１側にはラチェット爪１１とストッパー１２が設けられており、ラチェット爪１１は軸１１ａを中心として回転自在であり、時計回り方向に付勢されている。
このラチェット機構（中間ロック機構）は、支持部材突出方向には機能せず、戻り方向は各ラチェット歯４−１の間隔を最小単位として支持部材４をロックする。即ち、突出した支持部材４の先端が延びきらない状態で床に接地しても、その突出状態で支持部材４の突出長を固定することができるから床面設置機器Ａの転倒を未然に防止することができる。
支持部材４を専用テーブル１内に収容する場合は、ラチェット歯４−１とラチェット爪１１の係合を解除した状態でラチェット爪１１を水平に保持しながら（手段図示せず）、支持部材４を専用テーブル１内に押し込めばよい。
【００１１】
図４は本発明の第２の実施形態に係る床面設置機器における専用テーブル部分の斜視図である。棒状の支持部材４は専用テーブル１の側面に設けた凹所１ｂ内に嵌合した位置から水平に外側に開くように軸支されている。
図５は本発明の第３の実施形態に係る床面設置機器における専用テーブル部分の斜視図である。凹所１ｂ内に収納された棒状の支持部材４は直角に（起立状態から水平状態に）外側に開くようになっている。
【００１２】
図６は本発明の第４の実施形態に係る床面設置機器における専用テーブル部分の斜視図である。扉状の支持部材４は基端部縁を専用テーブル１に設けたヒンジにより支持されることにより、水平に外側に開くようになっている。
図７は本発明の第５の実施形態に係る床面設置機器における専用テーブル部分の斜視図である。１枚の扉状の支持部材４は下端縁を専用テーブル１に設けたヒンジにより軸支されることにより直角に（起立状態から水平状態に）外側に開くようになっている。
【００１３】
図８は本発明の第６の実施形態に係る床面設置機器の斜視図である。床面設置機器Ｂの操作部２１の裏面に折り畳まれた棒状の支持部材４は、床面設置機器Ｂが傾くと、垂直に開き起立状態となる。
図９は傾き検知機構の一例を示す図である。錘状の第１の電極３１は上端部を固定部３２ａにより支持されたワイヤー３２の先端に固定されて吊り下げられ、全方位に揺動可能となっている。そして、第１の電極３１を取り囲むようにして、円環状の第２の電極３３が設けてある。床面設置機器が傾斜すると、第１の電極３１と第２の電極３３が接触し電気的に導通するので、その信号から傾斜を検知することができる。例えば所定の時間内に複数回その信号を検知したとき、支持部材４を突出させる制御を行うことができる。
【図面の簡単な説明】
【００１４】
【図１】本発明の第１の実施形態に係る床面設置機器の斜視図である。
【図２】図１に示す床面設置機器の専用テーブルの断面図である。
【図３】支持部材の中間ロック機構を示す図である。
【図４】本発明の第２の実施形態に係る床面設置機器における専用テーブル部分の斜視図である。
【図５】本発明の第３の実施形態に係る床面設置機器における専用テーブル部分の斜視図である。
【図６】本発明の第４の実施形態に係る床面設置機器における専用テーブル部分の斜視図である。
【図７】本発明の第５の実施形態に係る床面設置機器における専用テーブル部分の斜視図である。
【図８】本発明の第６の実施形態に係る床面設置機器の斜視図である。
【図９】傾き検知機構の一例を示す図である。
【符号の説明】
【００１５】
１  専用テーブル
２  増設給紙装置
３  本体
４  支持部材
【図１】
2007215709.tif 000003
【図２】
2007215709.tif 000004
【図３】
2007215709.tif 000005
【図４】
2007215709.tif 000006
【図５】
2007215709.tif 000007
【図６】
2007215709.tif 000008
【図７】
2007215709.tif 000009
【図８】
2007215709.tif 000010
【図９】
2007215709.tif 000011